(57)【要約】  【課題】  電子ファインダ使用時と撮像時のいずれにおいてもピントのずれが問題とならず、かつ電子ファインダ使用状態から撮像を行う場合のタイムラグを短くする。  【解決手段】  撮像装置は、撮像素子からの信号に基づいて生成された画像を表示する表示手段１０７と、撮影レンズからの光束を用いて焦点状態を検出する焦点検出手段１２１と、撮影光路内に配置された第１の状態と該光路外に退避した第２の状態とに切り換えが可能な光路分割手段１１１，１２２とを有する。第１の状態では、光路分割手段は、撮影レンズからの光束のうち一部を透過して撮像素子に向かわせ、他を反射して焦点検出手段に向かわせる。第１の状態において、第２の状態となったときに光束の結像位置が撮像素子の受光面に略一致するようにフォーカス制御を行う。さらに、撮像素子上に形成される物体像に対する表示手段に表示される物体像の倍率を、人の目の分解能に基づいて設定された所定値より小さい値とする。【選択図】  図１
2006340126.tif 000002
【特許請求の範囲】
【請求項１】
撮影レンズにより形成された物体像を光電変換する撮像素子と、
該撮像素子からの信号に基づいて生成された画像を表示する表示手段と、
前記撮影レンズからの光束を用いて該撮影レンズの焦点状態を検出する焦点検出手段と、
前記撮影レンズから前記撮像素子に至る光路内に配置された第１の状態と前記光路外に退避した第２の状態とに切り換えが可能であり、前記第１の状態において前記撮影レンズからの光束のうち一部を透過して前記撮像素子に向かわせ、かつ他を反射して前記焦点検出手段に向かわせる光路分割手段と、
前記焦点検出手段の検出結果に基づいて前記撮影レンズのフォーカス制御を行う制御手段とを有し、
前記制御手段は、前記第１の状態において、前記第２の状態となったときに前記撮影レンズによる前記光束の結像位置が前記撮像素子の受光面に略一致するように前記フォーカス制御を行い、かつ前記撮像素子上に形成された物体像に対する前記表示手段に表示される物体像の倍率が、人の目の分解能に基づいて設定された所定値より小さい値であることを特徴とする撮像装置。
【請求項２】
前記所定値は、３．８であることを特徴とする請求項１に記載の撮像装置。
【請求項３】
前記撮像素子からの信号に対して画像処理を行って画像を生成する画像処理手段を有し、
前記画像処理手段は、前記第１の状態において前記画像におけるエッジを強調する処理を行うことを特徴とする請求項１又は２に記載の撮像装置。
【請求項４】
撮影レンズにより形成された物体像を光電変換する撮像素子と、
該撮像素子からの信号に対して画像処理を行って画像を生成する画像処理手段と、
該生成された画像を表示する表示手段と、
前記撮影レンズからの光束を用いて該撮影レンズの焦点状態を検出する焦点検出手段と、
前記撮影レンズから前記撮像素子に至る光路内に配置された第１の状態と前記光路外に退避した第２の状態とに切り換えが可能であり、前記第１の状態において前記撮影レンズからの光束のうち一部を透過して前記撮像素子に向かわせ、かつ他を反射して前記焦点検出手段に向かわせる光路分割手段と、
前記焦点検出手段の検出結果に基づいて前記撮影レンズのフォーカス制御を行う制御手段とを有し、
前記制御手段は、前記第１の状態において、前記第２の状態となったときに前記撮影レンズによる前記光束の結像位置が前記撮像素子の受光面に略一致するように前記フォーカス制御を行い、かつ前記画像処理手段は、前記第１の状態において前記画像におけるエッジを強調する処理を行うことを特徴とする撮像装置。
【請求項５】
前記撮影レンズにより形成された物体像の光学的な観察を可能とするファインダ光学系を有し、
前記光路分割手段は、前記光路内に配置されて前記撮影レンズからの光束のうち一部を反射して前記ファインダ光学系に向かわせ、他を反射して前記焦点検出手段に向かわせる第３の状態に切り換え可能であることを特徴とする請求項１から４のいずれか１つに記載の撮像装置。
【請求項６】
撮影レンズにより形成された物体像を光電変換する撮像素子と、該撮像素子からの信号に基づいて生成された画像を表示する表示手段と、前記撮影レンズからの光束を用いて該撮影レンズの焦点状態を検出する焦点検出手段と、前記撮影レンズから前記撮像素子に至る光路内に配置された第１の状態と前記光路外に退避した第２の状態とに切り換えが可能であり、前記第１の状態において前記撮影レンズからの光束のうち一部を透過して前記撮像素子に向かわせ、かつ他を反射して前記焦点検出手段に向かわせる光路分割手段と、前記焦点検出手段の検出結果に基づいて前記撮影レンズのフォーカス制御を行う制御手段とを有する撮像装置の制御方法であって、
前記第１の状態において、前記第２の状態となったときに前記撮影レンズによる前記光束の結像位置が前記撮像素子の受光面に略一致するように、前記制御手段によって前記フォーカス制御を行うフォーカス制御工程と、
前記撮像素子上に形成された物体像に対する前記表示手段に表示される物体像の倍率が、人の目の分解能に基づいて設定された所定値より小さくなるように、前記表示手段に表示する表示制御工程とを有することを特徴とする制御方法。
【請求項７】
撮影レンズにより形成された物体像を光電変換する撮像素子と、該撮像素子からの信号に対して画像処理を行って画像を生成する画像処理手段と、該生成された画像を表示する表示手段と、前記撮影レンズからの光束を用いて該撮影レンズの焦点状態を検出する焦点検出手段と、前記撮影レンズから前記撮像素子に至る光路内に配置された第１の状態と前記光路外に退避した第２の状態とに切り換えが可能であり、前記第１の状態において前記撮影レンズからの光束のうち一部を透過して前記撮像素子に向かわせ、かつ他を反射して前記焦点検出手段に向かわせる光路分割手段と、前記焦点検出手段の検出結果に基づいて前記撮影レンズのフォーカス制御を行う制御手段とを有する撮像装置の制御方法であって、
前記第１の状態において、前記第２の状態となったときに前記撮影レンズによる前記光束の結像位置が前記撮像素子の受光面に略一致するように、前記制御手段によって前記フォーカス制御を行うフォーカス制御工程と、
前記第１の状態において、前記画像処理手段によって前記画像におけるエッジを強調する処理を行う画像処理工程とを有することを特徴とする制御方法。
【発明の詳細な説明】
【技術分野】
【０００１】
本発明は、撮像素子により撮像された物体像をモニタで観察しながら撮像を行うことができる撮像装置およびその制御方法に関するものである。
【背景技術】
【０００２】
一眼レフデジタルカメラ等の撮像装置では、撮影レンズからの光束のうち一部をハーフミラーにより構成されるメインミラー（光路分割系）によって反射してファインダ光学系に導くことにより、被写体（物体）の光学的な観察を可能とする。また、ハーフミラーを透過した光束は、ハーフミラーの背後に配置されたサブミラーによって反射され、焦点検出ユニットに導かれる。焦点検出ユニットは、位相差検出方式等の焦点検出方式を用いて撮影レンズの焦点状態を検出し、該検出結果に基づいてフォーカスレンズを合焦位置に駆動するオートフォーカス（ＡＦ）が行われる。
【０００３】
さらに、ファインダ光学系による物体観察に加えて又はこれに代えて、ハーフミラーを透過した光を撮像素子に導いて電子ファインダによる物体像の表示を行うとともに、該ハーフミラーで反射した光を焦点検出ユニットに導いてＡＦを行うカメラも提案されている（特許文献１，２参照）。そして、これらのカメラでは、特に高精細な記録用静止画像の撮像を行う際には、上記ハーフミラーを撮影光路外に退避させる。
【０００４】
ここで、電子ファインダによる物体像の表示時（以下、電子ファインダ使用時という）には、ハーフミラーが撮影光路内に挿入されているため、ハーフミラーが撮影光路から退避した状態に対してハーフミラーの厚みに対応した分、撮像素子までの光路長が変わる。このため、ハーフミラーの挿入時（電子ファインダ使用時）において焦点検出結果に基づいてオートフォーカスを行っても、撮像素子上にピントが合わない場合がある。つまり、電子ファインダにぼけた画像が表示されてしまうおそれがある。
【０００５】
そこで、特許文献１，２にて開示されている撮像装置では、電子ファインダ使用時において、焦点検出結果をハーフミラーの挿入による光路長の変化に対応する量補正し、撮像素子上にピントが合うようにしている。
【特許文献１】特開２００２−６２０８号公報（段落００５０、図６等）
【特許文献２】特開２００４−２６４８３２号公報（段落００１１９〜０１２３、図８等）
【発明の開示】
【発明が解決しようとする課題】
【０００６】
しかしながら、上記特許文献１，２にて開示された撮像装置のように、電子ファインダ使用時に撮像素子上にピントが合うようにオートフォーカスを行うと、逆にハーフミラーが撮影光路から退避した撮像時において撮像素子上にピントが合わなくなる。このため、該撮像時には、再びハーフミラーの退避による光路長の変化に応じたピント補正を行う必要がある。
【０００７】
ピント補正は、撮影レンズのフォーカシングレンズを駆動して行うが、特に広角系の撮影レンズのようにフォーカシングレンズの移動量に対するピント状態の変化が小さい撮影レンズにおいては、該ピント補正のためのフォーカシングレンズの駆動量が大きくなる。この場合、電子ファインダ使用状態から撮像動作が可能となるまでに非常に時間がかかる（タイムラグが大きくなる）という問題がある。
【０００８】
本発明は、光路分割系が撮影光路内に配置された電子ファインダ使用時と光路分割系が撮影光路から退避した状態での撮像時のいずれにおいてもピントのずれが問題とならず、かつ電子ファインダ使用状態から撮像を行う場合のタイムラグを短くすることができるようにした撮像装置を提供することを目的の１つとしている。
【課題を解決するための手段】
【０００９】
本発明の一側面としての撮像装置は、撮影レンズにより形成された物体像を光電変換する撮像素子と、該撮像素子からの信号に基づいて生成された画像を表示する表示手段と、撮影レンズからの光束を用いて該撮影レンズの焦点状態を検出する焦点検出手段と、撮影レンズから撮像素子に至る光路内に配置された第１の状態と該光路外に退避した第２の状態とに切り換えが可能であり、第１の状態において撮影レンズからの光束のうち一部を透過して撮像素子に向かわせ、かつ他を反射して焦点検出手段に向かわせる光路分割手段と、焦点検出手段の検出結果に基づいて撮影レンズのフォーカス制御を行う制御手段とを有する。そして、制御手段は、第１の状態において、第２の状態となったときに撮影レンズによる光束の結像位置が撮像素子の受光面に略一致するようにフォーカス制御を行う。さらに、表示手段に表示される物体像の撮像素子上に形成される物体像に対する倍率を、人の目の分解能に基づいて設定された所定値より小さい値とすることを特徴とする。
【００１０】
また、本発明の他の側面としての撮像装置は、撮影レンズにより形成された物体像を光電変換する撮像素子と、該撮像素子からの信号に対して画像処理を行い画像を生成する画像処理手段と、該生成された画像を表示する表示手段と、撮影レンズからの光束を用いて該撮影レンズの焦点状態を検出する焦点検出手段と、撮影レンズから撮像素子に至る光路内に配置された第１の状態と該光路外に退避した第２の状態とに切り換えが可能であり、第１の状態において撮影レンズからの光束のうち一部を透過して撮像素子に向かわせ、かつ他を反射して焦点検出手段に向かわせる光路分割手段と、該焦点検出手段の検出結果に基づいて撮影レンズのフォーカス制御を行う制御手段とを有する。そして、制御手段は、第１の状態において、第２の状態となったときに撮影レンズによる光束の結像位置が撮像素子の受光面に略一致するようにフォーカス制御を行い、かつ画像処理手段は、第１の状態において前記画像におけるエッジを強調する処理を行うことを特徴とする。
【発明の効果】
【００１１】
本発明によれば、光路分割手段が光路内に配置された第１の状態において、該光路分割手段が光路外に退避した第２の状態となったときに撮像素子の受光面にピントが合うようにフォーカス制御を行うため、第１の状態から第２の状態に切り換わったときにフォーカス制御（フォーカシングレンズの駆動）を行うことなく、ピントが合った画像を撮像することができる。しかも、第１の状態では、実際には撮像素子の受光面に対するピントずれが生じるが、表示手段には、人の目には該ピントずれ（ぼけ）が認識されない又は目立たない画像が表示されるため、結果的にぼけのほとんどない画像を観察することができる。したがって、第１の状態と第２の状態のいずれにおいてもピントのずれが問題とならず、かつ第１の状態から第２の状態に切り換わって撮像を行う場合のタイムラグを短くすることができる
【発明を実施するための最良の形態】
【００１２】
以下、本発明の実施例について図面を参照しながら説明する。
【実施例１】
【００１３】
図４には、本発明の実施例１である撮像装置としての一眼レフデジタルカメラの概略構成を示している。本実施例のカメラは、ＣＣＤセンサ又はＣＭＯＳセンサなどの撮像素子（光電変換素子）を用いた単板式のデジタルカラーカメラであり、撮像素子を連続的又は単発的に駆動して動画像又は静止画像を得る。ここで、撮像素子は、その受光面で受光した光を画素毎に電気信号に変換する機能を有し、各画素に受光量に応じて蓄積された電荷を読み出すタイプのエリアセンサである。なお、「撮像」には、画像記録のために撮像素子を用いて物体（被写体）の画像を取得することと、ディスプレイに表示するため（観察するため）に撮像素子を用いて物体画像を取得することの両方の意味があるが、本実施例では、特に前者を撮像若しくは撮像動作という。
【００１４】
図４において、１０１はカメラ本体、１０２は結像光学系１０３を内蔵し、カメラ本体１０１に対して取り外し可能に装着される撮影レンズである。撮影レンズ１０２は、公知のマウント機構を介してカメラ本体１０１に電気的、機械的に接続される。また、焦点距離の異なる撮影レンズをカメラ本体１０１に選択的に装着することによって、様々な画角で撮像を行うことができる。
【００１５】
また、撮影レンズ１０２は、不図示の駆動機構を有する。該駆動機構を介して結像光学系１０３の一部の要素であるフォーカシングレンズ１０３ｂを光軸Ｌ１の方向に移動させることにより、物体に対するピント合わせを行うことができる。なお、フォーカシングレンズを柔軟性のある透明弾性部材や液体レンズで構成し、界面形状を変化させて屈折力を変えることで、物体に対するピント合わせを行うようにしてもよい。
【００１６】
１０６はパッケージ１２４に収納された撮像素子である。結像光学系１０３から撮像素子１０６に至る光路（以下、撮影光路という）中には、撮像素子１０６に物体像の必要以上に高い空間周波数成分が到達しないように、所定域の周波数成分のみを通過させる光学ローパスフィルタ１５６が設けられている。また、パッケージ１２４には、赤外線をカットする赤外カットフィルタも設けられている。
【００１７】
撮像素子１０６から読み出された電荷蓄積信号に対して、画像処理回路１３９は各種の画像処理を行い、画像信号を生成する。この生成された画像信号は、ディスプレイ１０７上に画像として表示される。ディスプレイ１０７は、カメラ本体１０１の背面に取り付けられており、撮影者はこのディスプレイ１０７を通じて、物体像を観察できる。なお、ディスプレイ１０７は、有機ＥＬ空間変調素子や液晶空間変調素子、微粒子の電気泳動を利用した空間変調素子など、消費電力が小さく、薄型の素子で構成するとよい。
【００１８】
本実施例では、特に撮像素子１０６として、増幅型固体撮像素子の１つであるＣＭＯＳプロセスコンパチブルのセンサ（ＣＭＯＳセンサ）を用いる。ＣＭＯＳセンサは、エリアセンサ部のＭＯＳトランジスタと、撮像素子駆動回路、ＡＤ変換回路および画像処理回路といった周辺回路とを同一工程で形成できるため、マスク枚数、プロセス工程がＣＣＤセンサと比較して大幅に削減できるという特徴を有する。また、ＣＭＯＳセンサは、任意の画素へのランダムアクセスが可能であるという特徴も有し、ディスプレイ用に間引いた読み出しが容易である。撮像素子１０６のこれらの特徴を利用して、本実施例では、高い表示レートでのリアルタイム動画表示と高精細静止画像の表示とを行う。
【００１９】
１１１は撮影光路の内外に回動可能であるとともに、撮影光路内で回動してその姿勢を変更することができるハーフミラーとしてのメインミラーである。１０５は物体像の予定結像面に配置されたフォーカシングスクリーン、１１２はペンタプリズムである。１０９は光学ファインダ像を観察するためのレンズであり、実際には３つのレンズ（図１に示す１０９−１、１０９−２、１０９−３を付したレンズ）で構成されている。フォーカシングスクリーン１０５、ペンタプリズム１１２およびレンズ１０９は、ファインダ光学系を構成する。また、メインミラー１１１を構成する材料の屈折率は、およそ１．５であり、メインミラー１１１の厚さは０．５ｍｍである。
【００２０】
１２２はメインミラー１１１の背後に回動可能に設けられたサブミラーである。これらメインミラー１１１およびサブミラー１２２は、図１から図３に示すように、後述する３つの光路状態に切り換え可能な光路分割系を構成する。
【００２１】
まず、図２に示す第１の光路状態（第３の状態）では、メインミラー１１１およびサブミラー１２２が撮影光路内に配置される。そして、メインミラー１１１は、結像光学系１０３からの光束の一部をファインダ光学系に向けて反射するとともに、他を透過させる。メインミラー１１１を透過した光束は、サブミラー１２２で反射して後述する焦点検出ユニット１２１に導かれる。これにより、ファインダ光学系による物体像の観察と、焦点検出ユニット１２２による検出結果に基づくオートフォーカスが可能となる。焦点検出ユニット１２２は、位相差検出方式によって結像光学系１０３の焦点状態を検出する。
【００２２】
図１に示す第２の光路状態（第１の状態）では、メインミラー１１１が撮影光路内に配置され、サブミラー１２２は撮影光路外に退避する。そして、メインミラー１１１は、結像光学系１０３からの光束の一部を透過させて撮像素子１０６に向かわせ、他を焦点検出ユニット１２１に向けて反射する。これにより、ディスプレイ１０７による物体像のリアルタイム表示や高速連続撮像が可能となるとともに、焦点検出ユニット１２２による検出結果に基づくオートフォーカスが可能となる。すなわち、第２の光路状態では、ディスプレイ１０７による物体像の観察状態から光路分割系の駆動を伴わずに撮像を行うことができるので、信号処理系を高速化することで高速連続撮像が可能となる。また、この第２の光路状態では、ディスプレイ１０７に物体像を表示しながらも、位相差検出方式による高速な焦点調節を行うことが可能である。
【００２３】
図３に示す第３の光路状態（第２の状態）では、メインミラー１１１およびサブミラー１２２は撮影光路外に退避する。このため、結像光学系１０３からの光束は、撮像素子１０６に到達する。これにより、メインミラー１１１およびサブミラー１２２による光量落ちや色着き等がない状態での撮像が可能となる。この第３の光路状態は、大型のプリントなどに好適な高精細な静止画像を撮像するのに好適である。
【００２４】
これらの３つの状態を高速で切り換えるために、メインミラー１１１は、透明樹脂で軽量に形成されている。また、メインミラー１１１の裏面には、複屈折性を持つ高分子薄膜が貼り付けられており、画像のリアルタイム表示や高速連続撮像を行う際に、撮像素子１０６の全画素を用いずに画像を取得することに対応して、さらに強いローパス効果を付与する。
【００２５】
なお、メインミラー１１１の表面に、可視光の波長よりも小さなピッチを持つ微細な周期構造を樹脂によって形成し、いわゆるフォトニック結晶として作用させることによって、空気と樹脂との屈折率差による光の表面反射を低減し、光の利用効率を高めることも可能である。このように構成すると、第２の光路状態で、メインミラー１１１の裏面と表面での光の多重反射によってゴーストが発生するのを防ぐことができる。
【００２６】
メインミラー１１１とサブミラー１２２は、不図示の電磁モータとギア列からなるミラー駆動機構によって上記３つの光路状態に切り換えられる。
【００２７】
１０４は可動式のフラッシュユニット、１１３はフォーカルプレンシャッタ、１１９は電源を投入したり遮断したりするためのメインスイッチ、１２０はレリーズボタン、１２３はアイピースシャッタ開閉スイッチ、１８０はファインダ内表示ユニットである。レリーズボタン１２０は２段階に押し込むことができ、半押し状態でＳＷ１がオンになることにより測光動作やＡＦ動作が行われる。また、全押し状態でＳＷ２がオンになることにより画像記録動作を行う。ファインダモード切換えスイッチ１２３は、第１の光路状態に対応するＯＶＦモードと第２の光路状態に対応するＥＶＦモードとを選択するためのスイッチである。
【００２８】
図５には、本実施例のカメラの電気的構成を示している。カメラは、光学処理系（撮像系）と、画像処理系と、記録再生系と、制御系とを有する。
【００２９】
光学処理系は結像光学系１０３および撮像素子１０６を含み、画像処理系はＡ／Ｄ変換器１３０および画像処理回路１３９（ＲＧＢ画像処理回路１３１およびＹＣ処理回路１３２）を含む。また、記録再生系は、記録処理回路１３３および再生処理回路１３４を含み、制御系は、カメラシステム制御回路１３５、操作検出回路１３６および撮像素子駆動回路１３７を含む。
【００３０】
１３８は外部のコンピュータ等に接続して、データの送受信をするための規格化された接続端子である。これらの電気回路は不図示の小型燃料電池によって駆動される。
【００３１】
光学処理系は、物体からの光を結像光学系１０３を介して撮像素子１０６の受光面、すなわち撮像面１０６ａに結像する光学処理系であり、撮影レンズ１０２内に設けられた不図示の絞りを制御するとともに、必要に応じてフォーカルプレンシャッタ１１３を制御して、適切な光量の物体光を撮像素子１０６に露光する。撮像素子１０６は、正方画素が長辺方向に３７００個、短辺方向に２８００個並べられた合計約１０００万個の画素を有する。各画素には、Ｒ（赤色）、Ｇ（緑色）、Ｂ（青色）のうちいずれかのカラーフィルタが設けられており、１つのＲ画素と１つのＢ画素と２つのＧ画素の４画素が一組となった所謂ベイヤー配列が形成されている。
【００３２】
ベイヤー配列では、観察者が画像を見たときに強く感じやすいＧの画素をＲやＢの画素よりも多く配置することで、総合的な画像性能を上げている。一般に、この方式の撮像素子を用いる画像処理では、輝度信号は主にＧから生成し、色信号はＲ，Ｇ，Ｂから生成する。
【００３３】
撮像素子１０６から読み出された画像信号は、Ａ／Ｄ変換器１３０を介して画像処理系に供給される。Ａ／Ｄ変換器１３０は、各画素からの信号をその振幅に応じた、例えば１０ビットのデジタル信号に変換して出力する。以降の画像処理はデジタル処理にて実行される。
【００３４】
画像処理系は、Ｒ，Ｇ，Ｂのデジタル信号から所望の形式の画像信号を得る。具体的には、Ｒ，Ｇ，Ｂの色信号を輝度信号Ｙおよび色差信号（Ｒ−Ｙ），（Ｂ−Ｙ）にて表わされるＹＣ信号などに変換する。
【００３５】
ＲＧＢ画像処理回路１３１は、Ａ／Ｄ変換器１３０を介して撮像素子１０６から受けた３７００×２８００画素の画像信号を処理する。ＲＧＢ画像処理回路１３１は、ホワイトバランス回路、ガンマ補正回路および補間演算による高解像度化を行う補間演算回路を有する。
【００３６】
ＹＣ処理回路１３２は、輝度信号Ｙおよび色差信号Ｒ−Ｙ，Ｂ−Ｙを生成する。ＹＣ処理回路１３２は、高域輝度信号ＹＨを生成する高域輝度信号発生回路、低域輝度信号ＹＬを生成する低域輝度信号発生回路および色差信号Ｒ−Ｙ，Ｂ−Ｙを生成する色差信号発生回路で構成されている。輝度信号Ｙは、高域輝度信号ＹＨと低域輝度信号ＹＬを合成することによって形成される。また、ＹＣ処理回路１３２は、第２の光路状態においては、生成された画像のうち物体の輪郭部分の色を濃くして強調するエッジ強調処理を行う。
【００３７】
記録再生系は、メモリへの画像信号の出力と、ディスプレイ１０７への画像信号の出力とを行う。記録処理回路１３３はメモリへの画像信号の書き込み処理および読み出し処理を行い、再生処理回路１３４はメモリから読み出した画像信号を再生してディスプレイ１０７に出力する。
【００３８】
また、記録処理回路１３３は、静止画像および動画像を表わすＹＣ信号を所定の圧縮形式にて圧縮したり、圧縮データを読み出した際に伸張したりする圧縮伸張回路を内部に有する。圧縮伸張回路は、信号処理のためのフレームメモリなどを含み、このフレームメモリに画像処理系からのＹＣ信号をフレーム毎に蓄積して、それぞれブロック毎に読み出して圧縮符号化する。圧縮符号化は、例えばブロック毎の画像信号を２次元直交変換、正規化およびハフマン符号化することにより行なわれる。
【００３９】
再生処理回路１３４は、輝度信号Ｙおよび色差信号Ｒ−Ｙ，Ｂ−Ｙをマトリックス変換して、ＲＧＢ信号等に変換する回路である。再生処理回路１３４によって変換された信号は、ディスプレイ１０７に出力され、可視画像が表示再生される。再生処理回路１３４とディスプレイ１０７の間はＢｌｕｅｔｏｏｔｈなどの無線通信手段を介して接続されてもよい。このように構成すれば、このデジタルカメラで取得した画像を離れたところからモニタすることができる。
【００４０】
制御系は、メインスイッチ１１９、レリーズボタン１２０およびファインダモード切換えスイッチ１２３等の操作を検出する操作検出回路１３６と、その検出信号に応答してメインミラー１１１やサブミラー１２２を含む各部を制御するカメラシステム制御回路１３５とを有する。カメラシステム制御回路１３５は、撮像素子１０における電荷蓄積の開始および蓄積された電荷の読み出しのためのタイミング信号も生成する。カメラシステム制御回路１３５は、撮像素子１０６を駆動する駆動信号を生成する撮像素子駆動回路１３７と、光学ファインダ内に情報表示を行うファインダ内表示ユニット１８０を制御する情報表示回路１４２とを制御する。
【００４１】
制御系は、外部操作に応じて光学処理系、画像処理系および記録再生系を制御する。例えば、レリーズボタン１２０に連動するＳＷ２の状態を検出して、撮像素子１０６の駆動、ＲＧＢ画像処理回路１３１の動作、記録処理回路１３３の圧縮処理などを制御し、さらに情報表示回路１４２によってファインダ内表示ユニット１８０の各セグメントの点灯を制御する。
【００４２】
次に、焦点調節に関わる構成について説明する。カメラシステム制御回路１３５には、ＡＦ制御回路１４０とレンズシステム制御回路１４１が接続されている。これらはカメラシステム制御回路１３５を中心にして各々の処理に必要とするデータを相互に通信している。
【００４３】
ＡＦ制御回路１４０は、撮影画面上の所定の１又は複数の位置に設けられた焦点検出領域に対応する焦点検出センサ１６７からの出力信号を得てる。そして、この出力信号に基づいて、結像光学系１０３の結像状態を示す焦点検出信号を生成する。デフォーカスが検出されると、これを結像光学系１０３の一部の要素であるフォーカシングレンズ１０３ｂの駆動量に変換し、該駆動量を表す信号をカメラシステム制御回路１３５を介してレンズシステム制御回路１４１に送信する。
【００４４】
また、移動する物体に対しては、レリーズボタン１２０が押されてから実際の撮像動作が開始されるまでのタイムラグを見込んだ位置へのフォーカシングレンズ１０３ｂの駆動量を指示する。また、物体の輝度が低く、十分な焦点検出精度が得られないと判定されるときには、フラッシュユニット１０４又は不図示の白色ＬＥＤや蛍光管を発光させて物体を照明する。
【００４５】
レンズシステム制御回路１４１は、フォーカシングレンズ１０３ｂの駆動量を受信すると、撮影レンズ１０２内の不図示の駆動機構によってフォーカシングレンズ１０３ｂを光軸Ｌ１の方向に駆動する。これにより物体に対してピントを合わせる。
【００４６】
また、レンズシステム制御回路１４１は、撮影レンズ１０２と相互通信することで、撮影レンズ１０２の各種レンズ情報を取得する。例えば、開放Ｆ値、最小Ｆ値、レンズの瞳位置情報、射出窓情報、撮像用光束の焦点位置（結像位置）と焦点検出用光束の焦点位置とを補正する補正値など、撮像装置１０１が必要とする様々なレンズ情報が送られる。該レンズ情報はカメラシステム制御回路１３５に送られ、焦点検出や測光の補正をする際に用いられる。
【００４７】
ＡＦ制御回路１４０によって、物体にピントが合ったことが検出されると、この情報はカメラシステム制御回路１３５に伝えられる。このとき、レリーズボタン１２０が押されてＳＷ２がオン状態になると、前述したように、光学処理系、画像処理系および記録再生系による撮像動作が実行される。
【００４８】
図１から図３には、本発明の実施例におけるミラー駆動機構の構成を示している。まず、図２を用いて該ミラー駆動機構の構成を説明する。図２は、メインミラー１１１とサブミラー１２２とにより構成される光路分割系が第１の光路状態にある。この図において、図４に示した構成要素と同一の構成要素には、図４と同符号を付している。
【００４９】
図中、１０３ａは結像光学系１０３を構成する複数のレンズのうち最も像側に位置するレンズである。また、１２６は撮影レンズ１０２が装着されるレンズマウントである。ミラー駆動機構は、カメラ本体１０１に固定されたミラーボックス１７９により保持されている。レンズマウント１２６はこのミラーボックス１７９の前端部に固定されている。
【００５０】
メインミラー１１１は、不図示のメインミラー受け板に保持されている。このメインミラー受け板における図４の紙面の奥行き方向両側にはピン１７３が設けられており、また、奥側にはピン１７４が設けられている。
【００５１】
１７０はメインミラー駆動レバー、１７１はメインミラー支持アームである。メインミラー駆動レバー１７０はミラーボックス１７９により保持された軸１７０ａを中心に回動する。また、メインミラー支持アーム１７１は、ミラーボックス１７９により保持された軸１７１ａを中心に回動する。
【００５２】
メインミラー支持アーム１７１は、図の紙面の奥行き方向において光軸Ｌ１に対して略対称形状を有する。接続部１７１ｂは、メインミラー支持アーム１７１の奥行き方向両側の部分を接続している。
【００５３】
メインミラー１１１およびメインミラー受け板の両側に設けられたピン１７３は、メインミラー支持アーム１７１の先端に設けられた貫通孔部１７１ｃに回動可能に嵌合している。これにより、メインミラー１１１は、ピン１７３を中心として回動可能となっている。メインミラー受け板におけるピン１７３とピン１７４との中間位置には、不図示のトーションバネによって矢印Ａ方向の付勢力が付与されている。これにより、メインミラー１１１は、第２の光路状態に切り換わる方向に付勢される。
【００５４】
第１の光路状態においては、ミラーストッパー１６０，１６１がメインミラー１１１の移動軌跡内に挿入されている。また、ピン１７３とメインミラー駆動レバー１７０の第１カム面１７０ｂとの間およびピン１７４とメインミラー駆動レバー１７０の第２カム面１７０ｃとの間にはそれぞれ若干の隙間がある。メインミラー１１１は、ミラーストッパー１６０とミラーストッパー１６１に当接して、撮影光路内の所定位置に位置決めされる。このとき、メインミラー１１１は、ファインダ光学系が設けられたカメラ本体上側を向いた姿勢となる。
【００５５】
また、サブミラー１２２は、軸１２５回りでの回動が制御されて、メインミラー１１１からの透過光を反射するために、メインミラー１１１の背後における撮影光路内の所定位置に位置決めされる。
【００５６】
結像光学系１０３から射出してメインミラー１１１で反射した光束は、ファインダ光学系に導かれ、メインミラー１１１を透過した光束はサブミラー１２２で反射して焦点検出ユニット１２１に導かれる。
【００５７】
なお、ミラーストッパー１６０，１６１が退避した状態や、メインミラー駆動レバー１７０が時計回り方向に回動した状態では、不図示のトーションバネによる矢印Ａ方向の付勢力により、ピン１７３はメインミラー駆動レバー１７０の第１カム面１７０ｂに当接し、ピン１７４はメインミラー駆動レバー１７０の第２カム面１７０ｃに当接する。この結果、メインミラー駆動レバー１７０の回動した位置に応じて、第１のカム面１７０ｂと第２のカム面１７０ｃに沿ってピン１７３，１７４がそれぞれ摺動し、メインミラー１１１の姿勢（回動位置）が変化する。すなわち、メインミラー駆動レバー１７０の回動に従ってメインミラー支持アーム１７１が回動し、さらに両者によってピン１７３とピン１７４が拘束されている不図示のメインミラー受け板とメインミラー１１１とが一体的に従動する。これにより、図１に示す第２の光路状態と図３に示す第３の光路状態に切り換わる。
【００５８】
図１の第２の光路状態においては、前述したように、メインミラー１１１が撮影光路内に配置され、サブミラー１２２は撮影光路外に退避する。但し、メインミラー１１１は、焦点検出ユニット１２１が配置されたカメラ本体下側を向いた姿勢となる。そして、結像光学系１０３から射出してメインミラー１１１を透過した光束は撮像素子１０６に向かい、メインミラー１１１で反射した光束は焦点検出ユニット１２１に導かれる。
【００５９】
また、図３に示す第３の光路状態においては、メインミラー１１１およびサブミラー１２２は撮影光路よりも上方に退避する。このため、結像光学系１０３から射出した光束は、そのまま撮像素子１０６に到達する。
【００６０】
次に、焦点検出ユニット１２１について説明する。図１から図３において、１６４はコンデンサーレンズ、１６５は反射ミラー、１６６は再結像レンズ、１６７は焦点検出用センサである。
【００６１】
結像光学系１０３から射出して、サブミラー１２２（第１の光路状態）又はメインミラー１１１（第２の光路状態）で反射した光束は、ミラーボックスの下部に設けられたコンデンサーレンズ１６４に入射した後、反射ミラー１６５で反射されて、再結像レンズ１６６によって焦点検出用センサ１６７上に物体の２次像を形成する。
【００６２】
焦点検出用センサ１６７には、少なくとも２つの画素列が備えられており、該２つの画素列からそれぞれ出力された信号の波形は、結像光学系１０３によって形成された物体像の結像位置、つまりは結像光学系１０３の物体に対する焦点状態に応じて相対的にシフトする。いわゆる前ピン状態および後ピン状態では該出力信号の波形のシフト方向が逆になる。したがって、相関演算などの手法を用いてこのシフト量である位相差を、方向を含めて検出することにより、合焦を得るためのフォーカシングレンズ１０３ｂの駆動すべき量と方向を求めることができる。これが位相差検出方法である。
【００６３】
一般に、焦点検出には、絞り開放状態で入射する全光束のうちの一部を使用する。すなわち、焦点検出には、暗いＦナンバーの光束が用いられる。また、機構の誤差を考慮すると、撮像素子１０６の位置と焦点検出用センサ１６７の位置とが厳密には光学的に共役とはいえない。この結果、物体像にピントが合った状態であっても、僅かな初期位相差Δが存在する。この初期位相差Δの存在自体は、これを２像の相関演算で検出された位相差から差し引けば、真の位相差を知ることができるので、通常は問題とはならない。
【００６４】
しかし、第１の光路状態でのサブミラー１２２の反射面の位置と、第２の光路状態でのメインミラー１１１の反射面の位置とが機構精度上完全には一致しないという問題はある。通常の部品加工精度では、およそ３０μｍ程度は反射面の位置がその法線方向にずれる可能性があり、この量を小さくしようとすると、部品加工のためのコストが極めて高くなる。そこで、第１の光路状態と第２の光路状態とで初期位相差Δをそれぞれ設定し、光路分割系の状態に応じて焦点検出結果に対する補正量を異ならせる。これにより、何れの場合でも良好な精度で焦点検出を行うことが可能である。
【００６５】
このように、先ず初期位相差の考え方を使って、一組の信号の同一性を判定することで合焦検出を行うことができる。さらに、相関演算を用いた公知の手法、例えば特公平５−８８４４５号公報に開示されている手法を用いて位相差を検出することにより、デフォーカス量を求めることができる。得られたデフォーカス量を結像光学系１０３のフォーカシングレンズ１０３ｂを駆動すべき量に換算すれば、自動焦点調節が可能である。以上のような位相差検出方式によるオートフォーカスでは、フォーカシングレンズを駆動すべき量と方向があらかじめ分かるので、多くの場合、合焦位置までのレンズ駆動は１回で済み、極めて高速に合焦状態を得ることができる。
【００６６】
次に、図２を用いて、第１の光路状態での光束の結像位置について説明する。結像光学系１０３から射出した物体からの光束（以下、物体光束という）Ｌ２のうち一部の光束はメインミラー１１１で反射してファインダ光学系に導かれ、メインミラー１１１を透過した光束はメインミラー１１１の背後に配置されたサブミラー１２２を介して焦点検出ユニット１２１に導かれる。
【００６７】
フォーカシングスクリーン１０５のマット面と、第３の光路状態での撮像素子１０６の撮像面１０６ａは光学的に略等価な位置に配置されている。
【００６８】
このため物体光束Ｌ２がフォーカシングスクリーン１０５のマット面に結像する場合には、第３の光路状態に移行したときには物体光束Ｌ２は撮像素子１０６の撮像面１０６ａ上に結像する。そして、撮影者がレリーズボタン１２０を押してＳＷ１をオン状態としたときには、第３の光路状態での物体光束Ｌ２の結像位置が撮像素子１０６の撮像面１０６ａの位置に略一致するようにＡＦ動作を行う。ここにいう「略一致」とは、完全な一致又は実際上一致しているとみなしても差し支えない範囲での不一致を含む意味である。このことは、以下においても同じである。
【００６９】
これにより、物体光束Ｌ２は、第１の光路状態においてフォーカシングスクリーン１０５のマット面にも結像するため、撮影者はピントの合った物体像をファインダ光学系を通して観察することができる。
【００７０】
次に、図１を用いて、第２の光路状態での光束の結像位置について説明する。結像光学系１０３から射出した物体光束Ｌ２のうち一部はメインミラー１１１で反射して焦点検出ユニット１２１に導かれ、メインミラー１１１を透過した光束は撮像素子１０６に到達する。メインミラー１１１の反射面は、第１の光路状態でのサブミラー１２２の反射面と略等価な位置に配置される。このため、結像光学系１０３の焦点状態が同じならば、第１の光路状態と第２の光路状態とでは、焦点検出ユニット１２１で得られる焦点検出結果は一致する。
【００７１】
撮影者がレリーズボタン１２０をＳＷ１がオンになるまで押し込んだときには、図１中に拡大して示すように、第３の光路状態において物体光束Ｌ２の結像位置Ｌ２ａが撮像素子１０６の撮像面１０６ａの位置に略一致するようにＡＦ動作を行う。これにより、第２の光路状態では、メインミラー１１１の厚みに相当する光路長分、物体光束Ｌ２の結像位置Ｌ２ａは撮像素子１０６の撮像面１０６ａよりも後方となる。
【００７２】
ここで、メインミラー１１１の厚みｔを０．５ｍｍ、メインミラー１１１の材料の屈折率ｄを１．５とした場合、メインミラー１１１を透過した物体光束Ｌ２の結像位置Ｌ２ａの移動量Ｚ１は以下の通りとなる。
【００７３】
Ｚ１＝ｔ×（ｄ−１）／ｄ        …（１）
＝０．５×（１．５−１）／１．５
＝０．１７  ｍｍ
つまり、第２の光路状態では、撮像素子１０６の撮像面１０６ａに対して移動量Ｚ１＝０．１７ｍｍだけ後ピン状態になっている。
【００７４】
図１３および図１４を用いて、従来のピント補正方法について説明する。図１３は、従来のピント補正方法を採用したカメラにおける第２の光路状態を示している。本来、第２の光路状態では、光路中にメインミラー１１１が存在するため、物体光束Ｌ２の結像位置は、メインミラー１１１を透過しない場合と比べて移動量Ｚ１だけ後方に移動する。このため、従来では、図１３中に拡大して示すように、メインミラー１１１を透過した物体光束Ｌ２の結像位置Ｌ２ａが撮像素子１０６の撮像面１０６ａの位置に略一致するように、焦点検出ユニット１２１による焦点検出結果を補正し、該補正後の焦点検出結果に基づいてフォーカシングレンズを駆動していた。このため、第２の光路状態においても、ピントの合った物体像をディスプレイ１０７で観察することができた。
【００７５】
図１４は、図１３の第２の光路状態から第３の光路状態に移行した直後の様子を示している。この状態では、メインミラー１１１が撮影光路から退避するため、メインミラー１１１の厚みに相当する光路長分（移動量Ｚ１）、物体光束Ｌ２の結像位置Ｌ２ａは撮像面１０６ａの位置から前方に移動する。このため、従来の撮像装置では、第２の光路状態から第３の光路状態に移行したときに、フォーカシングレンズを駆動して、移動量Ｚ１だけ物体光束Ｌ２の結像位置Ｌ２ａを後方に移動させて該結像位置Ｌ２ａを撮像面１０６ａの位置に略一致させる必要がある。
【００７６】
ここで、撮影レンズ１０２は交換式であり、カメラ本体１０１には様々な焦点距離の撮影レンズが取り付けられる。焦点距離の長い望遠系の撮影レンズの場合には、フォーカシングレンズを至近端から無限端まで動かしたときの光軸Ｌ１方向のピント変化量（デフォーカス量）が１０ｍｍ以上になるものが多い。このため、Ｚ１＝０．１７ｍｍのデフォーカス量を得るためのフォーカシングレンズの移動量はそれほど大きくはならない。フォーカシングレンズの移動量が小さければ、その駆動に要する時間も短くて済むため、レリーズタイムラグに与える影響は小さい。
【００７７】
しかし、焦点距離の短い広角系の撮影レンズの場合には、フォーカシングレンズを至近端から無限端まで動かしたときの光軸Ｌ１方向のピント変化量（デフォーカス量）は小さく、１ｍｍ程度のものも存在する。この場合、Ｚ１＝０．１７ｍｍのデフォーカス量を得るためのフォーカシングレンズの移動量が大きくなってしまう。フォーカシングレンズの移動量が大きいと、その駆動に要する時間も長くなる。そして、第３の光路状態に完全に移行しているにもかかわらず、フォーカシングレンズの駆動が完了していないためにレリーズができない事態が生じ、レリーズタイムラグの増大につながる。レリーズタイムラグの増大によって、撮影者がレリーズボタン１２０を押し込んでＳＷ２がオン状態になっても、なかなか撮像動作が行われず、撮像したいシーンを撮り逃してしまうおそれがある。
【００７８】
そこで、本実施例では、図１に示すように、第２の光路状態においては、メインミラー１１１の存在によって物体光束Ｌ２の結像位置Ｌ２ａが撮像面１０６ａに対して移動量Ｚ１後方に移動している状態を維持する。これにより、第２の光路状態から第３の光路状態に移行した直後では、物体光束Ｌ２の結像位置Ｌ２ａは撮像素子１０６の撮像面１０６ａの位置に略一致する。このため、第３の光路状態に移行した直後に、フォーカシングレンズを駆動する必要がなくなる。したがって、フォーカシングレンズの駆動時間によって撮像動作が制限されることが回避できる。つまり、レリーズタイムラグを短縮することができる。
【００７９】
但し、第２の光路状態において物体光束Ｌ２の結像位置Ｌ２ａが撮像面１０６ａに対して移動量Ｚ１後方に移動した状態となっていては、ディスプレイ１０７を観察している撮影者にピントがぼけた画像を見せてしまうおそれがある。
【００８０】
そこで、図６〜図８を用いて、移動量Ｚ１だけ後ピン状態でも、ディスプレイ１０７を観察している撮影者にピントのぼけを認識させないための方法について説明する。図６には、撮像素子１０６の撮像面１０６ａに物体光束Ｌ２が入射する様子を示している。
【００８１】
上述したように、第２の光路状態では、移動量Ｚ１だけ後ピン状態になっている。このため、結像光学系１０３のＦ値に応じたぼけが発生する。物体光束Ｌ２の集光角度をθ１、結像位置の移動量Ｚ１により発生するぼけ円の直径をφＤ１とする。本実施例は、レンズ交換式の一眼レフカメラを想定しているため、様々なＦ値の撮影レンズが取り付けられる可能性がある。同じ量のデフォーカスが発生した場合、最も大きなぼけが発生するのは、Ｆ値が最も小さい撮影レンズを取り付けた場合である。そこで、ここでは最もぼけが大きく発生する条件として、Ｆ値＝１．０を想定する。結像光学系のＦ値が１．０の場合、ｔａｎθ１は以下のようになる。
【００８２】
ｔａｎθ１＝１／２    …（２）
これに対し、結像位置の移動量Ｚ１によって発生するぼけ円の直径φＤ１は、以下のように表せる。
【００８３】
Ｄ１＝Ｚ１×ｔａｎθ１×２        …（３）
（３）式に（１），（２）式の値を代入すると、
Ｄ１＝０．１７×（１／２）×２
＝０．１７  ｍｍ            …（４）
つまり、第２の光路状態で発生するボケ円の大きさは、φＤ１＝０．１７ｍｍ程度の大きさとなる。
【００８４】
次に、図７を用いて、人の目で認識できるぼけ円の大きさを説明する。図７において、θ２は人の目でぼけを認識できる視認角度、Ｚ２は人の目からディスプレイ１０７までの距離（以下、観察距離という）である。また、φＤ２はぼけ円の直径を表している。
【００８５】
人が静止画を見る場合、ぼけを認識できる角度は、一般的には、３分（３′）程度と言われている。ディスプレイ１０７に表示されている物体像を観察する場合には、下記の理由により、その２倍程度の視野角度を設定するのが妥当だと考えられる。
【００８６】
（１）表示される画像はリアルタイム表示された動画像である
（２）ディスプレイ１０７の解像度の影響で、それほど高精細な画像の表示は困難である。
【００８７】
そこで、本実施例では、人の目でぼけを認識できる視野角度θ２を６分（６′）と設定する。観察距離を３７５ｍｍと設定した場合、人の目で認識できるぼけの直径Ｄ２は以下の通りになる。
【００８８】
Ｄ２＝Ｚ２×ｔａｎθ２×２
＝３７５×ｔａｎ（６′）×２
＝０．６５ｍｍ      …（５）
つまり、ディスプレイ１０７に表示される物体像（動画像）のぼけの大きさがφ０．６５ｍｍ以下ならば、撮影者は該物体像がぼけていると認識することが困難であると思われる。
【００８９】
図８を用いて、撮像素子１０６で発生するぼけ円の大きさφＤ１とディスプレイ１０７上で認識されるぼけ円の大きさφＤ２との関係を説明する。
【００９０】
撮像素子１０６上に形成された物体像はディスプレイ１０７上に表示される。この際、撮像素子１０６の撮像面１０６ａとディスプレイ１０７の表示面１０７ａとでは大きさが異なり（表示面１０７ａの方が大きく）、特定の倍率で拡大されてディスプレイ１０７上に表示されることになる。この拡大倍率をｃとする。この倍率ｃは、電子倍率と称されることもあり、撮像素子１０６により撮像された物体像がディスプレイ１０７において表示される際の倍率である。
撮像素子１０６の対角長さをａ、ディスプレイ１０７の対角長さをｂとした場合、電子倍率ｃは、
ｃ＝ｂ／ａ    …（６）
で表される。
【００９１】
これにより、撮像素子１０６で発生したぼけ円の大きさφＤ１は、ディスプレイ１０７上では電子倍率ｃ分拡大されて表示されるため、ディスプレイ１０７上でのぼけ円の大きさは、
φｃ×Ｄ１
となる。このφｃ×Ｄ１が、ディスプレイ１０７上で認識されるぼけ円の大きさφＤ２より小さければ、撮影者はぼけた画像であると認識することが困難となる。すなわち、
ｃ×Ｄ１＜Ｄ２    …（７）
が成立すればよい。
【００９２】
（７）式に、（４），（５）式の値を代入すると、
ｃ×０．１７＜０．６５
よって、
ｃ＜３．８      …（８）
となる。
【００９３】
したがって、（８）式を満足するように撮像素子１０７とディスプレイ１０７とのサイズの関係を設定することで、第２の光路状態で撮影光路に挿入されたメインミラー１１１による光路長によって移動量Ｚ１だけ物体光束Ｌ２の結像位置Ｌ２ａを撮像素子１０６の撮像面１０６ａからずらしても、ディスプレイ１０７に表示される画像は撮影者にはぼけた画像だと認識されない。
【００９４】
これにより、第２の光路状態から第３の光路状態に移行したときに、結像光学系１０３による物体光束Ｌ２の結像位置Ｌ２ａは撮像素子１０６の撮像面１０６ａの位置と略一致することになるため、フォーカシングレンズ１０３ｂを駆動してピント補正を行う必要がない。したがって、フォーカシングレンズ１０３ｂの駆動に要する時間によって撮像動作の開始が制限されることがなくなり、レリーズタイムラグを短縮することができる。
【００９５】
また、本実施例では、第２の光路状態において、ディスプレイ１０７に表示される画像をよりぼけを感じさせない画像とするために、前述したエッジ強調処理も行う。
【００９６】
図９を用いて、本実施例の撮像装置１０１における主としてカメラシステム制御回路１３５の動作シーケンスを説明する。この動作シーケンスは、カメラシステム制御回路１３５内のメモリカメラシステム制御回路１３５外のメモリ（いずれも図示せず）に格納されたコンピュータプログラムに従って実行される。
【００９７】
まず、ステップＳ１００では、カメラシステム制御回路１３５は、メインスイッチ１１９がオンであるか否かを調べる。オンの場合はステップＳ１０１に進む。ステップＳ１０１では、カメラの各電気回路を起動する。
【００９８】
ステップＳ２００では、カメラシステム制御回路１３５は、ファインダモード切換えサブルーチンを実行する。このファインダモード切換えサブルーチンについては後述する。
【００９９】
ファインダモード切換えサブルーチンを終了した後、ステップＳ１０２では、カメラシステム制御回路１３５は、ファインダモード切換えスイッチ１２３の操作が行われたかどうかを調べる。ファインダモード切換えスイッチ１２３の操作が検出されたときには、ステップＳ２００で再度、ファインダモード切換えサブルーチンを実行する。ファインダモード切換えスイッチ１２３の操作が検出されなかったときには、ステップＳ１０３に進む。
【０１００】
ステップＳ１０３では、カメラシステム制御回路１３５は、レリーズボタン１２０が押されてＳＷ１がオン状態であるかどうかを調べる。ＳＷ１がオン状態でなかった場合にはステップＳ１０２に戻る。一方、ＳＷ１がオン状態であった場合には、ステップＳ１０４に進む。
【０１０１】
ステップＳ１０４では、カメラシステム制御回路１３５は、ＡＦ制御回路１４０に対してＡＦ開始信号を送り、焦点検出用センサ１６７の動作を開始させる。
【０１０２】
ステップＳ１０５では、カメラシステム制御回路１３５は、ステップＳ１０４で得られた焦点検出結果（デフォーカス量および方向）に基づいて、合焦を得るためのフォーカシングレンズ１０３ｂの駆動量と駆動方向を演算し、これらの情報を含むレンズ駆動信号をレンズシステム制御回路１４１に送る。レンズシステム制御回路１４１は、該レンズ駆動信号に基づいてフォーカシングレンズ１０３ｂを駆動して、物体光束Ｌ２の結像位置Ｌ２ａが撮像素子１０６の撮像面１０６ａの位置に略一致するようにピント合わせを行う。
次に、ステップＳ１０６では、カメラシステム制御回路１３５は、レリーズボタン１２０がさらに押し込まれてＳＷ２がオン状態であるかどうかを調べる。ＳＷ２がオン状態でなかった場合にはステップＳ１０３に戻る。ＳＷ２がオン状態であった場合には、ステップＳ１０７に進む。
【０１０３】
ステップＳ１０７では、図１〜図３に示した、ファインダ光学系内に設けられたアイピースシャッタ１６３を閉じる。このアイピースシャッタ１６３は、次のステップＳ１０８で第３の光路状態に移行したときに、ファインダ光学系の接眼部から入射した光がファインダ光学系を逆に辿って撮像素子１０６に到達するのを防ぎ、フレアやゴーストの発生を回避するために設けられている。
【０１０４】
ステップＳ１０８では、カメラシステム制御回路１３５は、ミラー駆動機構に対してミラー駆動開始信号を送り、メインミラー１１１とサブミラー１２２を第３の光路状態の位置（退避位置）にセットする。メインミラー１１１とサブミラー１２２が撮影光路から退避することで、結像光学系１０３からの光束をダイレクトに撮像素子１０６に導くことができる。
【０１０５】
次にステップＳ１１０では、カメラシステム制御回路１３５は、撮影レンズ１０２内の絞りを制御したり、必要に応じてさらにフォーカルプレンシャッタ１１３を制御したりして、適切な光量の物体光束Ｌ２を撮像素子１０６の撮像面１０６ａ上に結像させる。そして、撮像素子駆動回路１３７に撮像開始信号を送り、撮像素子１０６による撮像動作を行わせる。
【０１０６】
続いてステップＳ１１１では、撮像素子１０６から読み出された信号が、Ａ／Ｄ変換器１３０を介してＲＧＢ画像処理回路１３１に送られ、ホワイトバランス処理、ガンマ補正、補間演算処理が施される。さらに、ＹＣ処理回路１３２でＹＣ処理が施されて画像処理が完了する。これらの画像処理により、高精細な画像の記録が可能となる。
【０１０７】
ステップＳ１１２では、画像処理後の画像が記録処理回路１３３に送られ、記録処理回路１３３は該画像を所定の圧縮形式にて圧縮して記録媒体に記録する。
【０１０８】
ステップＳ１１３では、画像処理後の画像が再生処理回路１３４に送られ、ディスプレイ１０７にて該画像のプレビュー表示が行われる。プレビュー表示後は、ファインダモード切換えサブルーチン（ステップＳ２００）に戻り、ファインダモード切換えスイッチ１２３の状態に応じた光路状態を設定する。
次に、ファインダモード切換えサブルーチン（ステップＳ２００）について、図１０を用いて説明する。ここでは、最初に図２に示す第１の光路状態にあるものとして説明する。
【０１０９】
ステップＳ２０１では、カメラシステム制御回路１３５は、ファインダモード切換えスイッチ１２３の状態を調べる。以下、第１の光路状態をＯＶＦ（Optical ViewFinder）モードといい、第２の光路状態をＥＶＦ（Electrical ViewFinder）モードという。ＥＶＦモードに設定されている場合はステップＳ２０２に進み、ＯＶＦモードが設定されている場合はステップＳ２２０に進む。
【０１１０】
ステップＳ２０２では、カメラシステム制御回路１３５は、アイピースシャッタ１６３を閉じる。これにより、ファインダ光学系の接眼部から入射した光がファインダ光学系を逆に辿って撮像素子１０６に到達するのを防ぎ、フレアやゴーストの発生を回避できる。
【０１１１】
ステップＳ２０３では、カメラシステム制御回路１３５は、ファインダ内表示ユニット１８０による情報表示を消す。このとき、すでにアイピースシャッタ１６３は閉じており、ファインダ光学系による物体観察はできないので、ファインダ内表示ユニット１８０を消灯することによって電力の無駄な消費をなくして電池の消耗を減ずることができる。
【０１１２】
次にステップＳ２０４では、カメラシステム制御回路１３５は、メインミラー１１１の第２の光路状態に対応した位置への移動に備えて、サブミラー１２２をミラーボックス１７９の下部に退避させる。
【０１１３】
続いてステップＳ２０５では、カメラシステム制御回路１３５は、ミラーストッパー１６０，１６１をメインミラー１１１の移動軌跡上から退避させる。ミラーストッパー１６０，１６１が退避した後、ステップＳ２０６では、メインミラー駆動レバー１７０を図２における反時計回り方向に回動させ、ミラー駆動機構内の不図示のバネの付勢力によってメインミラー１１１を第２の光路状態の位置まで駆動させる（図１参照）。この結果、メインミラー１１１で反射した光束は焦点検出ユニット１２１に導かれる。
【０１１４】
第２の光路状態では、前述したように、ピン１７３とメインミラー駆動レバー１７０の第１カム面１７０ｂとの間、およびピン１７４とメインミラー駆動レバー１７０の第２カム面１７０ｃとの間に若干の隙間があり、メインミラー１１１はミラーストッパー１７５，１７６に当接して位置決めされる。この状態でのメインミラー１１１の反射面の位置は、第１の光路状態でサブミラー１２２の反射面があった位置である。このように構成することで、ＯＶＦモードとＥＶＦモードとで焦点検出領域の位置がほとんど変化しないようにすることができる。
【０１１５】
なお、第２の光路状態においては、前述したように、ピント位置の補正（すなわち、物体光束Ｌ２の結像位置Ｌ２ａを撮像素子１０６の撮像面１０６ａの位置に略一致させるためのフォーカシングレンズ１０３ｂの駆動）は行わない。したがって、物体光束Ｌ２の結像位置Ｌ２ａは、撮像素子１０６の撮像面１０６ａの位置に対して移動量Ｚ１だけ後方にずれたままとなる。しかし、撮像素子１０６とディスプレイ１０７とのサイズ（倍率）の関係を前述の通りに設定することで、撮影者はディスプレイ１０７に表示された画像のぼけを認識しない。
【０１１６】
次に、ステップＳ２０７では、カメラシステム制御回路１３５は、フォーカルプレンシャッタ１１３の先幕を開けて、撮像素子１１６に連続的に物体光束Ｌ２を導き、ディスプレイ１０７上への画像表示を可能とする。そして、ステップＳ２０８では、ディスプレイ１０７の表示を開始させる。
【０１１７】
次に、ステップＳ２０９では、カメラシステム制御回路１３５は、撮像素子１０６から読み出された信号に対して、前述したステップＳ１１１と同様のホワイトバランス処理、ガンマ補正、補間演算処理およびＹＣ処理を施す。さらに、このステップでは、これらの画像処理に加えて、画像のエッジ強調処理を行うモードとする。これにより、移動量Ｚ１だけ後ピンのディスプレイ表示画像を、よりぼけを感じさせない画像とすることができる。撮像素子１０６とディスプレイ１０７のサイズ（倍率）の関係を前述したように設定することで、ぼけた画像であると認識できないようにすることは十分可能であるが、これに加えてエッジ強調処理も行うことで、表示画像の解像感を上げ、撮影者にピントが合っている印象を与えることができる。但し、このエッジ強調処理は行わなくてもよい。
【０１１８】
次に、ステップＳ２１０では、カメラシステム制御回路１３５は、撮像素子１０６にて所定の周期（例えば、１／６０秒）で連続的に取得される物体画像をディスプレイ１０７上に表示する。こうして、一連のファインダモード切換えサブルーチンを終了する。
【０１１９】
ここで、第２の光路状態において、ディスプレイ１０７上に表示される物体画像に対応する視野範囲は、物体光束Ｌ２がメインミラー１１１で屈折作用を受けるために、第３の光路状態にて撮像される物体画像に対応する視野範囲に比べて僅かに上下方向にずれた範囲となる。つまり、第２の光路状態の視野範囲と第３の光路状態の視野範囲とは上下方向にシフトした関係にあり、その結果、第２の光路状態では表示されるが第３の光路状態では撮像されない帯状の領域が存在する。このため、再生処理回路１３４は、その帯状の領域をディスプレイ１０７における非表示部とし、第２の光路状態での視野範囲の全体を表示しないように処理する。これにより、ＥＶＦモードにおいてディスプレイ１０７上で観察することができたにもかかわらず実際には撮像されない視野部分が生じることを防止できる。
【０１２０】
次に、先のステップＳ２０１でＯＶＦモードが設定されていた場合の動作シーケンスについて説明する。
【０１２１】
ステップＳ２２０では、カメラシステム制御回路１３５は、前述したエッジ強調処理モードをオフにする。そして、ステップＳ２２１では、ディスプレイ１０７を消灯するとともに、撮像素子１０６での電荷蓄積動作を停止させる。
【０１２２】
ステップＳ２２２では、フォーカルプレンシャッタ１１３の後幕を閉じ走行させ、撮像に備えて先幕および後幕駆動機構をチャージする。
【０１２３】
ステップＳ２２３では、カメラシステム制御回路１３５は、続くステップでのメインミラー１１１の第３の光路状態に対応した位置への移動（退避）を可能にするために、ミラーストッパー１６０，１６１をメインミラー１１１の移動軌跡上から退避させる。
【０１２４】
次に、ステップＳ２２４では、カメラシステム制御回路１３５は、メインミラー駆動レバー１７０を図２における時計回り方向に回動させて、メインミラー１１１とサブミラー１２２を図１に示す第１の光路状態での位置から図２に示す第２の光路状態での位置を経て、図３に示す第３の光路状態での位置へと移動させる。
【０１２５】
そして、ステップＳ２２５では、ミラーストッパー１６０，１６１をメインミラー１１１の位置決めのための所定位置まで挿入する。このように、メインミラー１１１を第３の光路状態に対応した位置に移動させてからミラーストッパー１６０，１６１を挿入するので、ミラーストッパー１６０，１６１の挿入に際してメインミラー１１１と衝突する可能性がなく、ＯＶＦモードとＥＶＦモードとの切換えをスムーズに行え、機構的な信頼性を高くすることができる。
【０１２６】
次に、ステップＳ２２６では、カメラシステム制御回路１３５は、メインミラー駆動レバー１７０を反時計回り方向に回動させて、メインミラー１１１を第３の光路状態での位置から、ミラー駆動機構内の不図示のバネの付勢力によって、第１の光路状態での位置にセットする（図２参照）。このとき、メインミラー１１１はミラーストッパー１６０，１６１に当接して位置決めされる。
【０１２７】
ステップＳ２２７では、カメラシステム制御回路１３５は、アイピースシャッタ１６３を開く。これにより、ファインダ光学系による物体観察が可能となる。
【０１２８】
次に、ステップＳ２２８では、カメラシステム制御回路１３５は、不図示のフォーカスモード切換えスイッチによりマニュアルフォーカスモードが選択されているかオートフォーカスモードが選択されているかを判定する。オートフォーカスモードであればステップＳ２２９に進み、マニュアルフォーカスモードであればステップＳ２０７に進む。マニュアルフォーカスモードでは、焦点検出ユニット１２１による焦点検出を行う必要がなく、背景のぼけ具合の把握をファインダ光学系を介してよりもディスプレイ１０７を通した方が正確に行えるので、ディスプレイ１０７でのリアルタイム表示を行うためにステップＳ２０７に進む。
【０１２９】
ステップＳ２２９では、カメラシステム制御回路１３５は、サブミラー１２２を焦点検出ユニット１２１に物体光束を導く第１の光路状態での位置にセットする。
【０１３０】
次に、ステップＳ２３０では、ファインダ内表示ユニット１８０による情報表示を開始し、一連のファインダモード切換えサブルーチンを終了する。
【０１３１】
本実施例によれば、第２の光路状態と第３の光路状態のいずれにおいてもピントのずれが問題とならず、かつ第２の光路状態から第３の光路状態に切り換わって撮像を行う場合のタイムラグを短くすることができる。しかも、本実施例では、ディスプレイ１０７上で物体をモニタしているときにも、位相差検出方式による高速な焦点調節を行うことができる。
【実施例２】
【０１３２】
図１１および図１２には、本発明の実施例２である撮像装置の構成を示している。本実施例の撮像装置は、ファインダ光学系を持たない点で実施例１の撮像装置と異なる。このため、光路分割系は、メインミラー１１１のみにより構成され、サブミラーを持たない。そして、該光路分割系は、図１１に示すように物体光束Ｌ２を焦点検出ユニット１２１と撮像素子１０６とに分割する第２の光路状態（第１の状態）と、図１２に示すように撮影光路から退避した第３の光路状態（第２の状態）との間でのみ切り換わる。
【０１３３】
なお、本実施例において、実施例１と共通する構成要素には図１〜３と同一符号を付し、その説明を省略する。
【０１３４】
メインミラー１１１は、不図示のメインミラー受け板に保持されている。このメインミラー受け板は、ミラーボックス１７９に設けられた軸１７８を中心に回動可能に支持されている。これにより、メインミラー受け板とメインミラー１１１は、ミラーボックス１７９に対して軸１７８を中心として一体的に回動する。メインミラー受け板は、不図示のトーションバネによって、図中の反時計回り方向に付勢されている。また、メインミラー受け板は、不図示のミラーストッパーに当接することで、図１１に示す第２の光路状態に保持される。第２の光路状態では、結像光学系１０３から射出した物体光束Ｌ２のうちメインミラー１１１で反射した光束は焦点検出ユニット１２１に導かれ、メインミラー１１１を透過した光束は撮像素子１０６に導かれる。
【０１３５】
図１１に示す第２の光路状態から図１２に示す第３の光路状態に移行する際には、不図示の電磁モータとギア列からなるミラー駆動機構により、メインミラー受け板とメインミラー１１１が図中の時計回り方向に駆動される。そして、第３の光路状態において、メインミラー受け板は不図示のミラーストッパーに当接することで保持される。
【０１３６】
一方、第３の光路状態から第２の光路状態に移行する際には、ミラー駆動機構の駆動を解除し、上記トーションバネの付勢力によってメインミラー受け板とメインミラー１１１を軸１７８を中心として図中の反時計回り方向に回動させる。そして、メインミラー受け板をミラーストッパーに当接させることで第２の光路状態への移行が完了する。
【０１３７】
本実施例でも、第２の光路状態において焦点検出ユニット１２１に光束が導かれるため、ディスプレイ１０７による物体画像のモニタ中においても、位相差検出方式による高速な焦点調節を行うことができる。
【０１３８】
また、本実施例においても、図１１に示すように、第２の光路状態では、結像光学系１０３から射出してメインミラー１１１を透過した物体光束Ｌ２が撮像素子１０６に到達する。このとき、不図示のカメラシステム制御回路は、第３の光路状態で物体光束Ｌ２の結像位置Ｌ２ａが撮像素子１０６の撮像面１０６ａの位置に略一致するように結像光学系１０３内のフォーカシングレンズを駆動して焦点調節を行う。つまり、メインミラー１１１の撮影光路内への挿入による光路長の変化量に対応する移動量Ｚ１だけ、撮像面１０６ａより後方に結像位置Ｌ２ａを設定する。
【０１３９】
これにより、第２の光路状態から第３の光路状態に移行した直後において、フォーカシングレンズを駆動しなくても物体光束Ｌ２の結像位置Ｌ２ａが撮像素子１０６の撮像面１０６ａの位置に略一致する。したがって、フォーカシングレンズの駆動に要する時間によって撮像開始が制限されることがなく、レリーズタイムラグを短縮することができる。
【０１４０】
そして、本実施例でも、撮像素子１０６とディスプレイ１０７とのサイズ（倍率）の関係を、実施例１にて説明した（８）式を満足するように設定することで、第２の光路状態でのディスプレイ表示画像ぼけを撮影者に認識させないようにすることができる。
【０１４１】
さらに、実施例１と同様に、第２の光路状態において、撮像素子１０６から読み出された信号により生成される画像に対してエッジ強調処理を施すことで、より撮影者にぼけた画像であることを認識させにくくし、ピントが合っている印象を与えることができる。
【０１４２】
なお、（８）式に示した、撮像素子に対するディスプレイの倍率ｃの上限値（所定値）を算出するに当たり、人の目の分解能として実施例１に挙げた値は例にすぎない。すなわち、目の分解能は、実際は視力や観察距離、周囲の明るさ等の条件によっても異なるし、視力１．０の人の目の分解能が１′（＝60″）という説もある。本発明は、実施例に挙げた上限値に限定されるものではなく、標準的な条件下で一般的に言われている分解能としてもよいし、特殊な条件下での分解能としてもよい。いずれにせよ人の目の分解能を１つの要素として算出した上限値であればよい。
【０１４３】
なお、光路分割系の構成や動作は、上記各実施例にて説明したものに限らず、実施例と同様の機能を達成するものであれば、どのようなものでもよい。
【図面の簡単な説明】
【０１４４】
【図１】本発明の実施例１である撮像装置（第２の光路状態）の断面図。
【図２】実施例１の撮像装置（第１の光路状態）の断面図。
【図３】実施例１の撮像装置（第３の光路状態）の断面図。
【図４】実施例１の撮像装置の概略構成を示す図。
【図５】実施例１の撮像装置の電気的構成を示すブロック図。
【図６】撮像素子の撮像面に入射する物体光束を示した模式図。
【図７】目で認識できるぼけ円を説明するための模式図。
【図８】撮像素子上でのぼけ円がディスプレイ上で拡大される様子を示した模式図。
【図９】実施例１の撮像装置の動作シーケンスを示すフローチャート。
【図１０】実施例１の撮像装置におけるファインダモード切換えサブルーチンを示すフローチャート。
【図１１】本発明の実施例２である撮像装置（第２の光路状態）の断面図。
【図１２】実施例２の撮像装置（第３の光路状態）の断面図。
【図１３】従来の撮像装置（第２の光路状態）の断面図。
【図１４】従来の撮像装置（第３の光路状態）の断面図。
【符号の説明】
【０１４５】
１０１  カメラ本体
１０２  撮影レンズ
１０３  結像光学系
１０６  撮像素子
１０７  ディスプレイ
１１１  メインミラー
１２１  焦点検出ユニット
１２２  サブミラー
１２３  ファインダモード切換えスイッチ
１３５  カメラシステム制御回路
１３９  画像処理回路
【図８】
2006340126.tif 000003
【図１】
2006340126.tif 000004
【図２】
2006340126.tif 000005
【図３】
2006340126.tif 000006
【図４】
2006340126.tif 000007
【図５】
2006340126.tif 000008
【図６】
2006340126.tif 000009
【図７】
2006340126.tif 000010
【図９】
2006340126.tif 000011
【図１０】
2006340126.tif 000012
【図１１】
2006340126.tif 000013
【図１２】
2006340126.tif 000014
【図１３】
2006340126.tif 000015
【図１４】
2006340126.tif 000016